【事件の表示】
　平成　６年特許願第２７４５８１号「弾球遊技機」拒絶査定不服審判事件〔平成　８年　５月　７日出願公開、特開平　８−１１２４０４〕について、次のとおり審決する。
【結　論】
　本件審判の請求は、成り立たない。
【理　由】
第１．手続きの経緯・本願発明　
　本願は、平成６年１０月１２日の出願であって、平成１５年１月１５日付けで拒絶査定がなされ、これに対し、同年２月２０日に拒絶査定に対する審判請求がなされ、その後、当審において、平成１８年４月１１日付けで拒絶理由が通知され、これに対し、同年６月１６日付けで手続補正がなされたものである。
　
第２．本願発明　
　本願の請求項１乃至３に係る発明は、上記平成１８年６月１６日付手続補正により補正された特許請求の範囲の請求項１乃至３に記載されたとおりのものと認められるところ、その請求項１に記載された発明は次のとおりのものである。
　【請求項１】遊技盤（５）に、始動用入球口（１３）と、前記遊技盤（５）上に発射された遊技球（Ｂ）が前記始動用入球口（１３）に入球したときに複数個の図柄表示部（２１）（２２）（２３）の図柄が変動して停止する変動図柄表示手段（１２）と、前記始動用入球口（１３）に入球した遊技球（Ｂ）を保持しておき、その遊技球（Ｂ）を、前記図柄表示部（２１）（２２）（２３）の変動後の停止図柄が当たり図柄の組み合わせの場合に当たり側に、前記当たり図柄の組み合わせ以外の場合に外れ側に夫々振り分ける振分手段（１４）とを備え、前記当たり側の検出スイッチ（４０）が遊技球（Ｂ）を検出した場合に遊技者に有利な利益状態を発生させる利益状態発生手段（５２）を備えた弾球遊技機において、前記当たり図柄の組み合わせの場合に前記図柄表示部（２１）（２２）（２３）の全ての図柄が停止した後に、前記当たり図柄の組み合わせ以外の場合に前記変動図柄表示手段（１２）の変動動作の最終域で且つ前記図柄表示部（２１）（２２）（２３）の全ての図柄が停止する前に、夫々前記振分手段（１４）に遊技球（Ｂ）の振分動作を開始させるように、該振分手段（１４）を制御する振分制御手段（５１）を備えたことを特徴とする弾球遊技機。（以下「本願発明」という）
　
第３．刊行物に記載された発明　
　刊行物１：特開平５−２５３３４１号公報
　刊行物２：特開平５−３１２３３号公報
　
　当審の拒絶理由に引用され、本願出願前に頒布された、特開平５−２５３３４１号公報（以下「引用刊行物１」という）には、以下の記載がある。
　（１−１）「【０００１】
【産業上の利用分野】本発明は、打玉が通過可能な複数の通過入球口を備えた遊技盤上に一定個数の打玉を発射して一単位遊技を行い、少なくとも前記一単位遊技の遊技結果が予め定めた通過入球口の入賞組合せとなったことに基づいて所定の遊技価値を付与する弾球遊技機に関するものである。」
　（１−２）「【００１９】
第２実施例
次に、図３及び図４を参照して、第２実施例について説明する。・・・第２実施例においては、可変表示装置４３が特定組合せを表示した後に入賞球装置４８の回転体５１の回転によって打玉を特定領域５３に誘導し、特定入賞玉検出器５５を作動させたときに特定遊技状態を生起せしめる点であり、他の構成は、ほぼ第１実施例と同じである。
【００２０】以下、第２実施例の具体的な構成について説明する。図３において、遊技盤４０の表面には、発射レール（図示しない）から誘導された打玉を誘導するための区画レール４１がほぼ円状に植立されている。そして、区画レール４１によって囲まれた領域が遊技領域４２を構成するものである。遊技領域４２には、複数（２つ）の可変表示器４６ａ，４６ｂを有する可変表示装置４３と、回転体５１を有する入賞球装置４８と、一対の可変入賞球装置５６ａ，５６ｂ及びこれに関連する通過口５９ａ，５９ｂと、通過入球口６４ａ〜６４ｐと、装飾ランプ類等が配置されている。」
　（１−３）「【００２２】・・・また、可変表示装置４３の前記玉旋回板４５の下部前方には、一対の可変表示器４６ａ，４６ｂが臨むように設けられている。この可変表示器４６ａ，４６ｂは、７セグメントＬＥＤで構成され、０〜９までの１０個の数字と、Ａ、Ｊ、Ｆ、Ｕ、Ｐの５個の英文字からなる図柄を順次変動表示することが可能なようになっている。しかして、可変表示器４６ａ，４６ｂは、入賞球装置４８の入球口４９に打玉が入り、入賞玉検出器５０をＯＮさせると、変動を開始し、所定時間経過後に停止する。そして、停止時の表示が予め定めた図柄の組合せ（以下、この図柄の組合せを特定組合せという）、例えば、「７、７」となったときには、入賞球装置４８の回転体５１を時計方向に回転させ、それ以外の図柄の組合せ（以下、この図柄の組合せを通常組合せという）のときには、回転体５１を反時計方向に回転する。
【００２３】前記入賞球装置４８は、遊技領域４２の中央やや下部に設けられ、その上部には、入球口４９が形成され、該入球口４９に入賞玉検出器５０が臨むようになっている。また、入球口４９の直下には、入球口４９に入った玉を受け入れる受入凹部５２を有する回転体５１が設けられている。この回転体５１は、図示しないモータに連結されており、モータの駆動により回転するようになっている。また、モータは、正逆回転可能であり、その停止位置（受入凹部５２が右側方を向いた位置）を検出するために停止位置検出器が設けられている。しかして、回転体５１は、通常の状態で受入凹部５２が右側方に向いた状態で停止しており、前記可変表示器４６ａ，４６ｂが特定組合せとなったときには、回転体５１が正面から見て時計方向に１回転され、逆に通常組合せとなったときには、回転体５１が反時計方向に１回転される。
【００２４】回転体５１が時計方向にほぼ１回転して受入凹部５２が傾斜した位置となったときには、受入凹部５２に受け入れられた玉は、特定領域５３に放出され、その後、特定入賞玉検出器５５をＯＮさせて前記通過入球口６４ｈに導かれる。一方、回転体５１が反時計方向に回転して受入凹部５２が傾斜した位置となったときには、受入凹部５２に受け入れられた玉は、通常領域５４に放出され、その後、前記通過入球口６４ｈに導かれる。そして、特定入賞玉検出器５５がＯＮしたときには、特定遊技状態となる。この特定遊技状態は、所定回数（例えば、１４回）の一単位遊技が終了するまで、又はその所定回数の一単位遊技に達する前に再度特定入賞玉検出器５５がＯＮするまで継続される。なお、特定遊技状態時には、後に詳述する可変入賞球装置５６ａ，５６ｂのうち右側に配置される可変入賞球装置５６ｂが所定の条件が成立したときに開放するようになっている。これについては、後に詳述する。」
　（１−４）「【００２７】一方、右側に配置される可変入賞球装置５６ｂは、その斜め下方に配置される通過口５９ｂを打玉が通過したときに、開放されるようになっている。ただし、このような作動をするのは、特定遊技状態のときだけであり、通常の遊技状態のときに打玉が通過口５９ｂを通過しても可変入賞球装置５６ｂは、開放されない。しかして、可変入賞球装置５６ｂの開放中に打玉が入賞すると、入賞玉検出器５８ｂがＯＮして可変入賞球装置５６ｂを閉じると共に、後述する１１番目〜１３番目の通過入球口６４ｋ，６４ｌ，６４ｍに打玉が入球したと同等の効果を奏する。また、可変入賞球装置５６ｂに入賞した玉は、１５番目の通過入球口６４ｏに導かれている。即ち、可変入賞球装置５６ｂに打玉が入賞することにより、１１番目と１２番目と１３番目と１５番目の通過入球口６４ｋ，６４ｌ，６４ｍ，６４ｏに打玉が入賞したものと見做される。
【００２８】・・・更に、可変入賞球装置５６ｂへの打玉の入賞に基づくさらに大きな特徴は、上記した複数の通過入球口への見做し入球に加えて当該一単位遊技における得点が倍増されることである。ただし、倍増した結果が「１０」点を超える場合には、その超えた分が切り捨てられて最高１０点に抑えられる。また、得点が倍増される旨は、後述する２倍表示器６７が点灯することにより報知されるようになっている。」
　（１−５）「【００３０】次に、図４を参照して第２実施例の主要な動作について説明する。・・・
【００３１】・・・可変表示器４６ａ，４６ｂが特定組合せを表示したときには、入賞球装置４８の回転体５１を時計方向に回転せしめて打玉を特定領域５４に導き特定入賞玉検出器５５をＯＮさせると誘導増加装置が作動し、特定遊技状態となる。・・・したがって、次に打玉が入賞球装置４８の入球口４９に導かれて入賞玉検出器５０を作動させたときに導出される表示結果が特定組合せを表示する可能性が極めて高くなる。・・・」
　
　したがって、これらの記載を併せると、
　引用刊行物１には、
「遊技盤４０に、入球口４９と、前記遊技盤４０上に発射された打玉が前記入球口４９に入ると複数の可変表示器４６ａ，４６ｂの図柄が変動して停止する可変表示装置４３と、前記入球口４９に入った打玉を、前記可変表示器４６ａ，４６ｂの変動後の停止図柄が例えば「７、７」の特定組合せとなったときには受入凹部５２を有する回転体５１が正面から見て時計方向に１回転され特定領域５３に、それ以外の通常組合せのときには回転体５１が反時計方向に１回転され通常領域５４に夫々放出する入賞球装置４８とを備え、前記特定領域５３に放出された打玉が特定入賞玉検出器５５を作動させたときに特定遊技状態を生起せしめる弾球遊技機において、
　前記可変表示器４６ａ，４６ｂの停止時の表示が特定組合せとなったときには、入賞球装置４８の回転体５１を時計方向に回転させ、それ以外の通常組合せのときには、回転体５１を反時計方向に回転させる弾球遊技機。」の発明（以下、「引用刊行物１に記載された発明」という）が記載されていると認められる。
　
　また、当審の拒絶理由に引用され、本願出願前に頒布された、特開平５−３１２３３号公報（以下「引用刊行物２」という）には、以下の記載がある。
　（２−１）「【００６９】図１２は、本発明にかかるパチンコ遊技機において左、中、右図柄を停止させるときのタイミングを示すタイミングチャートである。図１２（ａ）を参照して、始動入賞口１２ａ〜１２ｃのいずれかに遊技玉が入賞し、スタートスイッチ５５ａ〜５５ｃのいずれかから始動入賞玉検出パルスが発生されたものとする。このパルスの立下り時に、正確には前述のＳ２８でＹＥＳの判断が成されたときに、前述の当たり外れ決定用カウンタの内容が取出され、その始動入賞について大当りであるか外れであるかが決定される。
【００７０】スタートスイッチのパルスの検出から所定時間たった時点で図１２（ｂ）に示されるように、図柄表示用カウンタの値が取出され、左図柄、中図柄、右図柄の停止時の図柄が決定される。図１２（ｂ）に示されるように、左図柄表示器３０ａに表示される左図柄は、基本タイマのセットとともに変動が開始され、基本タイマ終了後変動中の図柄が予定停止図柄中の左図柄と一致するまで図柄変動が行なわれた後停止される。
【００７１】図１２（ｃ）に示されるように、中図柄表示器３０ｂに表示される中図柄も、基本タイマのセットとともに変動が開始され、さらに図１２（ｂ）に示される左図柄の停止後可変表示中の中図柄が予定停止図柄と一致するまで可変表示が行なわれた後停止される。
【００７２】これに対し、右図柄の停止制御は図１２（ｄ）〜（ｆ）に示されるように、本実施例の場合には３通りに変更され得る。図１２（ｄ）は、リーチ状態でないときの右図柄の停止制御のタイミングを示す。この場合右図柄表示器３０ｃに表示される右図柄は、基本タイマのセットとともに変動が開始され、図１２（ｃ）に示される中図柄の停止後、表示中の右図柄が予定停止図柄と一致するまで可変表示された後停止する。すなわち、リーチ状態以外のときには、中図柄停止後比較的短い時間で右図柄も停止される。
【００７３】これに対し、図１２（ｅ）、（ｆ）に示されるように、すでに停止した左図柄および中図柄がリーチ状態であるときには、右図柄停止制御はより長い時間かけて行なわれる。すなわち図１２（ｅ）を参照して、左図柄および中図柄が一致しており、かつ予定停止図柄中の右図柄がこれら左、中図柄でもなく、左、中図柄の前後の図柄でもない場合には、図１２（ｃ）に示される中図柄の停止とともに第１タイマのセットが行なわれる。そして、第１タイマの終了後表示中の右図柄が予定停止図柄と一致するまで可変表示が行なわれ、一致した時点で可変表示が停止される。すなわち、この場合停止までの時間はほぼ第１タイマにセットされている時間だけ長くなる。
【００７４】これに対し、大当たりとなる場合または右図柄が大当たり図柄の前後となるように停止制御される場合には、図１２（ｆ）に示されるようにさらに長い時間をかけて停止制御が行なわれる。すなわちこの場合、図１２（ｃ）に示される中図柄の停止とともに右図柄停止用第１タイマがセットされる。そして、第１タイマの終了とともに図８のＳ６９において右図柄停止用第２タイマがセットされ、この間右図柄は可変表示を続行する。そして右図柄停止用第２タイマが終了した時点で図８のＳ７０において判断の答がＹＥＳとなり、制御がＳ７１に進むことになる。したがって第２タイマが終了した後表示中の右図柄が予定停止図柄と一致するまで可変表示が行なわれ、一致した時点で可変表示が停止される。したがって、この場合、停止までの時間は図１２（ｅ）に示される場合よりさらに第２タイマに設定された時間だけ長くなる。
【００７５】図１２（ｅ）、（ｆ）に示されるように、リーチ状態となるときにはそれ以外の場合と比較してより長い時間をかけて右図柄の停止制御が行なわれる。・・・さらに本発明にかかる遊技機においては、図１２（ｆ）に示されるように、大当たりまたは大当たりの前後の図柄が予定停止図柄となっている場合、それ以外のリーチ状態のときと比較してより長い時間をかけて右図柄停止制御が行なわれる。・・・
【００７６】なお、上述の実施例においては左図柄と中図柄とが一致するとともに、右図柄がその図柄と一致するかその前後の図柄となる場合にのみ図１２（ｆ）に示されるように最も長い時間をかけた右図柄の停止制御が行なわれるが、表示態様の区別の基準は上述の実施例以外のものであってもよい。たとえば、予定停止図柄が大当たりとなる場合とそれ以外とで図１２（ｅ）、（ｆ）に示されるように表示態様を区別してもよいし、大当たりおよびその前後の図柄に加えて大当たりの図柄と２つ図柄が前後した停止図柄まで図１２（ｆ）に示されるような停止制御を行なうようにしてもよい。・・・」
　（２−２）「【００７７】以上、本発明がパチンコ遊技機を例として説明された。しかし本発明は上述のパチンコ遊技機には限定されず、スロットマシンなどのコイン遊技機や所定の遊技価値を特定可能な情報が記録されたカードなどの記録媒体を用いて遊技が可能なカード式遊技機であってもよい。
【００７８】また、本発明における所定の遊技価値としては、前記可変入賞球装置１０を開成することに変えて以下のことを行なうものであってもよい。
・・・
【００８１】（３）  アレンジボールやいわゆるアレパチにおいて、・・・
【００８２】（４）  アレンジボールやいわゆるアレパチにおいて、・・・」
　
　そして、これらの記載と図面、特に可変表示装置の停止制御のタイミングを示すタイミングチャートである【図１２】に記載された「各図柄を別々に停止させるように構成し」た事項とを併せると、
　引用刊行物２には、
「始動入賞玉検出パルスの立下り時に当たり外れ決定用カウンタの内容が取出され大当りであるか外れであるかが決定され、
　所定時間たった時点で図柄表示用カウンタの値が取出され、左図柄、中図柄、右図柄の停止時の図柄が決定され、
　基本タイマのセットとともに左図柄・中図柄・右図柄の変動が開始され、左図柄表示器３０ａに表示される左図柄は、予定停止図柄中の左図柄と一致するまで図柄変動が行なわれた後停止され、中図柄表示器３０ｂに表示される中図柄は、左図柄の停止後可変表示中の中図柄が予定停止図柄と一致するまで可変表示が行なわれた後停止されるのに対し、
　右図柄表示器３０ｃに表示される右図柄は、
　（イ）リーチ状態以外のときには、中図柄停止後比較的短い時間で停止され、
　（ロ）すでに停止した左図柄および中図柄がリーチ状態であり、かつ予定停止図柄中の右図柄がこれら左、中図柄でもなく、左、中図柄の前後の図柄でもない場合には、停止までの時間はほぼ第１タイマにセットされている時間だけ長くなり、
　（ハ）大当たりとなる場合または右図柄が大当たり図柄の前後となるように停止制御される場合には、さらに第２タイマに設定された時間だけ長くなるよう、３通りに右図柄の停止制御が行なわれるアレンジボールなどの遊技機において、
　表示態様の区別の基準が上述の例以外のもの、たとえば、予定停止図柄が大当たりとなる場合とそれ以外とで上述の（ロ）、（ハ）に示されるように表示態様を区別してもよい遊技機。」の発明が記載されていると認められる。
　
第４．本願発明との比較・検討
　本願発明と引用刊行物１に記載された発明とを比較する。
　引用刊行物１に記載された発明の「遊技盤４０」は本願発明の「遊技盤（５）」に相当し、以下同様に「入球口４９」は「始動用入球口（１３）」に、「打玉」は「遊技球（Ｂ）」に、「複数の可変表示器４６ａ，４６ｂ」は「複数個の図柄表示部（２１）（２２）（２３）」に、「可変表示装置４３」は「変動図柄表示手段（１２）」に、「特定組合せ」は「当たり図柄の組み合わせ」に、「特定領域５３」は「当たり側」に、「通常組合せ」は「当たり図柄の組み合わせ以外」に、「通常領域５４」は「外れ側」に、「放出する入賞球装置４８」は「振り分ける振分手段（１４）」に、「特定入賞玉検出器５５を作動させたとき」は「検出スイッチ（４０）が遊技球（Ｂ）を検出した場合」に、「特定遊技状態を生起せしめる」は「遊技者に有利な利益状態を発生させる」に、「弾球遊技機」は「弾球遊技機」に、「可変表示器４６ａ，４６ｂの停止時の表示が特定組合せとなったときには、入賞球装置４８の回転体５１を時計方向に回転させ、」は「当たり図柄の組み合わせの場合に図柄表示部（２１）（２２）（２３）の全ての図柄が停止した後に、振分手段（１４）に遊技球（Ｂ）の振分動作を開始させる」に、それぞれ相当する。そして、引用刊行物１に記載された発明の「入球口４９に入った打玉」は、上記（１−２）における「可変表示装置４３が特定組合せを表示した後に入賞球装置４８の回転体５１の回転によって打玉を特定領域５３に誘導」との記載、（１−３）における「可変表示器４６ａ，４６ｂは、入賞球装置４８の入球口４９に打玉が入り、入賞玉検出器５０をＯＮさせると、変動を開始し、所定時間経過後に停止する。そして、停止時の表示が予め定めた図柄の組合せ（以下、この図柄の組合せを特定組合せという）、例えば、「７、７」となったときには、入賞球装置４８の回転体５１を時計方向に回転させ、それ以外の図柄の組合せ（以下、この図柄の組合せを通常組合せという）のときには、回転体５１を反時計方向に回転する。・・・回転体５１は、通常の状態で受入凹部５２が右側方に向いた状態で停止しており、前記可変表示器４６ａ，４６ｂが特定組合せとなったときには、回転体５１が正面から見て時計方向に１回転され、逆に通常組合せとなったときには、回転体５１が反時計方向に１回転される。」との記載によれば、「打玉が入球口４９に入ると可変表示器４６ａ，４６ｂは変動を開始し、所定時間経過後の停止時の表示によって、入賞球装置４８の停止していた回転体５１を時計方向又は反時計方向に回転させて打玉を誘導」するものであることが把握され、そうすると、入賞球装置４８の回転体５１が、少なくとも可変表示器４６ａ，４６ｂの変動中は、入球口４９に入った打玉を保持していると認められるから、引用刊行物１に記載された発明の入賞球装置４８は、本願発明の「始動用入球口（１３）に入球した遊技球（Ｂ）を保持しておき」という技術事項に対応する構成を備えていると認められる。また、弾球遊技機において遊技を実行させるために具体的な手段を備えることは当然の技術事項であるから、引用刊行物１に記載された発明の「特定遊技状態を生起せしめる弾球遊技機」という技術事項が、本願発明の「遊技者に有利な利益状態を発生させる利益状態発生手段（５２）を備えた弾球遊技機」という技術事項に対応する構成を備えていることは明らかである。さらに弾球遊技機において遊技を実行させるために具体的な制御手段を備えることは当然の技術事項であるから、引用刊行物１に記載された発明の「入賞球装置４８の回転体５１を時計方向・反時計方向に回転させる弾球遊技機」という技術事項が、本願発明の「振分手段（１４）に遊技球（Ｂ）の振分動作を開始させるように、該振分手段（１４）を制御する振分制御手段（５１）を備えた弾球遊技機」という技術事項に対応する構成を備えていることは明らかである。
　
　したがって、両者の一致点及び相違点は次のとおりである。
　
　一致点
　遊技盤に、始動用入球口と、前記遊技盤上に発射された遊技球が前記始動用入球口に入球したときに複数個の図柄表示部の図柄が変動して停止する変動図柄表示手段と、前記始動用入球口に入球した遊技球を保持しておき、その遊技球を、前記図柄表示部の変動後の停止図柄が当たり図柄の組み合わせの場合に当たり側に、前記当たり図柄の組み合わせ以外の場合に外れ側に夫々振り分ける振分手段とを備え、前記当たり側の検出スイッチが遊技球を検出した場合に遊技者に有利な利益状態を発生させる利益状態発生手段を備えた弾球遊技機において、前記当たり図柄の組み合わせの場合に前記図柄表示部の全ての図柄が停止した後に、前記振分手段に遊技球の振分動作を開始させるように、該振分手段を制御する振分制御手段を備えた弾球遊技機。
　
　相違点
　停止図柄が当たり図柄の組み合わせ以外の場合に振分手段に遊技球の振分動作を開始させるのが、本願発明では、変動図柄表示手段の変動動作の最終域で且つ図柄表示部の全ての図柄が停止する前であるのに対し、引用刊行物１に記載された発明では、そのような構成であるのかどうか明らかでない点
　
　そこで、上記相違点について検討すると、引用刊行物２には、「停止図柄が当たり図柄の組み合わせの場合と当たり図柄の組み合わせ以外の場合とに区別し、停止図柄が当たり図柄の組み合わせ以外の場合には、当たり図柄の組み合わせの場合に比較して遊技状態を短くする」技術が記載されている。ところで、所定の時間を継続して作動される２種類の遊技態様を有し当該２種類の遊技態様が時間的に前後して開始される場合において遊技状態を短縮する手法としては、各々の所定の作動時間を短縮させること、遅くに開始される遊技態様の開始時期を早めることは容易に着想される事項である。そうすると、引用刊行物２に示された「停止図柄が当たり図柄の組み合わせ以外の場合には遊技状態を短くする」技術を引用刊行物１に記載された発明に適用する際に、遊技状態を短くする手法として上記の手段のうちの後者の手段を、図柄変動開始後の「振分動作を開始させる」動作に採用して、相違点に係る本願発明の発明を特定する事項とすることは、当業者が容易になし得るものである。
　
　そして、本願発明の効果は、動作の開始時期を早めたことにより当然に導き出される事項であり、本願発明が格別の効果を有するとは認められない。
　
第５．むすび
　以上のとおり、本願発明は、当審で通知した拒絶の理由に示された上記刊行物１及び２に記載された発明に基づいて当業者が容易に発明をすることができたものであるから、本願の他の請求項に係る発明について検討するまでもなく、本願は、特許法第２９条第２項の規定により、特許を受けることができない。
　
　よって、結論のとおり審決する。